【事件の表示】
　特願２０１６−　１８８１９「冷蔵庫」拒絶査定不服審判事件〔平成２９年　８月１０日出願公開、特開２０１７−１３８０５０〕について、次のとおり審決する。
【結　論】
　本件審判の請求は、成り立たない。
【理　由】
第１　手続の経緯
　本願は、平成２８年２月３日の出願であって、その手続の経緯は、概略、以下のとおりである。
・平成２９年１０月１７日付け拒絶理由通知
・平成２９年１２月１２日に意見書及び手続補正書の提出
・平成３０年５月２日付け拒絶理由通知
・平成３０年６月２８日に意見書及び手続補正書の提出
・平成３０年１１月６日付け拒絶査定
・平成３１年１月８日に拒絶査定不服審判の請求及びその請求と同時に手続補正書の提出
・令和元年５月８日に上申書の提出
・令和元年１０月８日付け当審における拒絶理由通知
・令和元年１１月２８日に意見書及び手続補正書の提出
第２　本願発明
　本願の請求項１に係る発明（以下「本願発明」という。）は、令和元年１１月２８日提出の手続補正書により補正された特許請求の範囲の請求項１に記載された事項により特定される以下のとおりのものと認める。
「前面と、前記前面に設けられた第１開口を有する第１貯蔵室と、前記第１貯蔵室よりも室内の設定温度が低くかつ前記前面に設けられた第２開口を有する第２貯蔵室とを含む筐体と、
　前記筐体に収容され、かつ圧縮機、凝縮装置、結露防止パイプ、減圧器、パイプおよび冷却器を有する冷凍サイクルとを備え、
　前記冷凍サイクルは、前記圧縮機、前記凝縮装置、前記結露防止パイプ、前記減圧器および前記冷却器の順に冷媒が流れるように構成されており、
　前記結露防止パイプは、前記第１貯蔵室の前記第１開口および前記第２貯蔵室の前記第２開口が設けられた前記前面側の前記筐体の縁において、前記第１開口の周囲の少なくとも一部に配置されており、かつ前記第２開口の周囲を囲むように配置されており、
　前記筐体の前記縁に配置された前記結露防止パイプの前記冷媒の流れの下流側の端部は、前記第２開口の周囲の一部に配置されており、
　前記筐体の前記縁に配置された前記結露防止パイプの前記冷媒の流れの上流側の端部は、前記第２開口の周囲の一部に配置されており、
　前記筐体は底部を有し、
　前記筐体の前記縁に配置された前記結露防止パイプの前記冷媒の流れの下流側の端部は、前記底部に配置されており、
　前記上流側の端部および前記下流側の端部は、前記筐体の同じ側面側に配置されており、
　前記パイプは、前記減圧器と前記下流側の端部とを接続し、
　前記減圧器は前記底部に配置されており、
　前記パイプは前記底部に沿って配置されている、冷蔵庫。」
第３　拒絶理由の概要
　令和元年１０月８日付けで当審が通知した拒絶理由のうちの理由２は、概ね次のとおりのものである。
・本願の請求項１〜３に係る発明は、その出願前に日本国内又は外国において頒布された下記の刊行物に記載された発明及び周知の技術に基いて、その出願前にその発明の属する技術の分野における通常の知識を有する者（以下「当業者」という。）が容易に発明をすることができたものであるから、特許法２９条２項の規定により特許を受けることができない。
　　　　　　　　　　　　　　　　　記
　特開２０１４−７７６１５号公報
第４　引用文献について
１　引用文献の記載
　当審における拒絶理由に引用された、本願の出願前に頒布された刊行物である特開２０１４−７７６１５号公報（以下「引用文献」という。）には、次の記載がある（下線は、当審で付した。）。
「【請求項１】
　
前面に開口が形成され内部に複数の貯蔵室を有する断熱箱体と、
　前記断熱箱体に設けられ前記開口を仕切って前記貯蔵室の出入口を形成する枠部材と、
　前記各貯蔵室を冷却するための冷気を生成する冷凍サイクルと、を備え、
　前記複数の貯蔵室は、冷蔵温度帯の貯蔵室と冷凍温度帯の貯蔵室とから構成され、
　前記冷凍サイクルは、圧縮機と、冷却器と、前記圧縮機から圧送された冷媒を前記冷却器へ流す第一防露パイプおよび第二防露パイプと、を有し、
　前記第一防露パイプは、前記枠部材の内部を通ることなく前記断熱箱体の左右側壁および天井壁の前端内部を通って前記開口の周囲を囲むように設けられ、
　前記第二防露パイプは、前記冷媒の流れに対して前記第一防露パイプの下流側にあって、前記枠部材の内部および前記左右側壁の前端内部を通って少なくとも前記冷凍温度帯の貯蔵室の出入口の周囲を囲むとともに、前記左右側壁の前端内部を通る部分のうち前記冷凍温度帯の貯蔵室の側方を通る部分が前記第一防露パイプの前側にあって前記第一防露パイプと並行するように設けられている冷蔵庫。
「【０００１】
　本発明の実施形態は、冷蔵庫に関する。
【背景技術】
【０００２】
　従来、冷凍サイクルの一部を構成する高温の冷媒が通るパイプを、防露パイプとして冷蔵庫の開口の周囲に設けたものがある。このような冷蔵庫は、防露パイプの熱によって冷蔵庫の開口の周囲を加温することで、開口周囲の露付きの抑制を図っている。
【０００３】
　しかし、
防露パイプ内を流れる冷媒の温度つまり防露パイプの温度が高いと、その熱が貯蔵室内に多く流入し、貯蔵室内の温度が上昇する。すると、上昇した貯蔵室内を冷却するために余分な電力を消費することになり、省エネ効果が阻害されるおそれがあった。
「【０００９】
　（第一実施形態）
　図１および図２に示すように、
冷蔵庫１０は、断熱箱体１１を主体として構成されている。断熱箱体１１は、左側壁１２、右側壁１３、天井壁１４、底壁１５、および後壁１６を有する縦長矩形箱状に構成されている。断熱箱体１１には、その一方の面に、左側壁１２、右側壁１３、天井壁１４、および底壁１５によって囲まれた開口１１１が形成されている。
【００１０】
　断熱箱体１１は、図１に示すように、例えば予め箱状に構成された鋼板製の外箱１７および合成樹脂製の内箱１８の間に断熱部材１９を設けて構成されている。なお、断熱箱体１１は、複数に分割された壁を組み合わせて箱状に構成してもよい。例えば、左側壁１２、右側壁１３、天井壁１４、底壁１５、および後壁１６をそれぞれ個別に構成した後、組み合わせることで箱状してもよい。断熱部材１９は、例えば発砲ウレタンなど充填式のものや、真空断熱パネルなど予め成形されたもの、又はこれらを併用したものが用いられる。
【００１１】
　
断熱箱体１１の内側であって前後方向における開口１１１近傍には、複数の枠部材、この場合、上段横枠部材２０、中段横枠部材２１、下段横枠部材２２、および縦枠部材２３が設けられている。
上段横枠部材２０は、断熱箱体１１の上下方向のほぼ中央部分に設けられ、左側壁１２と右側壁１３とを接続している。中段横枠部材２１は、上段横枠部材２０の下方にあって左側壁１２と右側壁１３とを接続している。下段横枠部材は、中段横枠部材２１の下方にあって左側壁１２と右側壁１３とを接続している。
【００１２】
　中段横枠部材２１の後ろ側には、断熱性を有する断熱仕切板２５が設けられており、断熱箱体１１の内部を異なる温度帯の貯蔵室に仕切っている。この場合、断熱仕切板２５の上方は冷蔵温度帯の貯蔵室に設定され、断熱仕切板２５の下方は冷凍温度帯の貯蔵室に設定されている。
　具体的には、断熱箱体１１の内部にあって断熱仕切板２５の上方には、冷蔵温度帯の貯蔵室として、上から順に冷蔵室３０、野菜室３１が設けられている。冷蔵室３０と野菜室３１とは、上段横枠部材２０の後ろ側に設けられた樹脂製の仕切板２６によって仕切られている。仕切板２６の後部には、図１に示すように通気口２６１が形成されており、この通気口２６１を介して冷蔵室３０と野菜室３１とが連通している。
【００１３】
　断熱仕切板２５の下方には、冷凍温度帯の貯蔵室として製氷室３２、上段冷凍室３３、および下段冷凍室３４が設けられている。製氷室３２および上段冷凍室３３は、断熱仕切板２５の下方に左右に並べて設けられている。下段冷凍室３４は、製氷室３２および上段冷凍室３３の下方つまり断熱箱体１１の最下部に設けられている。
【００１４】
　この場合、冷蔵室３０の出入口３０１は、左側壁１２の前端部、右側壁１３の前端部、天井壁１４の前端部、および上段横枠部材２０に囲まれて形成されている。
野菜室３１の出入口３１１は、左側壁１２の前端部、右側壁１３の前端部、上段横枠部材２０、および中段横枠部材２１に囲まれて形成されている。
下段冷凍室３４の出入口３４１は、左側壁１２の前端部、右側壁１３の前端部、底壁１５の前端部、および下段横枠部材２２に囲まれて形成されている。
【００１５】
　冷蔵室３０および野菜室３１は、通常、異なる冷蔵温度帯の温度に設定されている。例えば、冷蔵室３０の維持温度は１〜５℃に設定されており、
野菜室３１の維持温度はそれよりやや高い２〜６℃に設定されている。
【００１６】
　製氷室３２、上段冷凍室３３、および
下段冷凍室３４は、いずれも冷凍温度帯、例えば−１０〜−２０℃のマイナス温度帯に設定されている。
【００１７】
　冷蔵庫１０には、図３に示す冷凍サイクル６０が組込まれている。
冷凍サイクル６０は、圧縮機６１、凝縮器６２、冷蔵用冷却器６３および冷凍用冷却器６４を有し、これらを環状に接続して構成されている。圧縮機６１は、図１に示すように、冷蔵庫１０の背面下端部に形成された機械室４２内に設けられている。また、機械室４２には、
凝縮器６２、
などが設けられている。冷蔵用冷却器６３は、冷蔵温度帯の貯蔵室、つまり冷蔵室３０および野菜室３１を冷却するための冷気を生成する。冷凍用冷却器６４は、冷凍温度帯の貯蔵室、つまり製氷室３２、上段冷凍室３３、および下段冷凍室３４を冷却するための冷気を生成する。
【００１８】
　
冷蔵庫１０内にあって冷蔵温度帯の貯蔵室つまり冷蔵室３０および野菜室３１の後部には、冷蔵用ダクト４４が設けられている。
【００１９】
　
冷蔵用ダクト４４内において、吸入口４４１の近傍には冷蔵用ファン４５が設けられ、冷蔵用ファン４５の上方には冷蔵用冷却器６３が設けられている。
・・・
【００２１】
　
冷蔵庫１０内にあって冷凍温度帯の貯蔵室つまり製氷室３２、上段冷凍室３３、および下段冷凍室３４の後部には、冷凍用ダクト４７が設けられている。
【００２２】
　
冷凍用ダクト４７内にあって、供給口４７１の近傍には冷凍用ファン４８が設けられ、冷凍用ファン４８の下方には冷凍用冷却器６４が設けられている。
・・・
【００２４】
　次に、冷凍サイクル６０の構成について説明する。
冷凍サイクル６０は、圧縮機６１の吐出側から三方弁６５までを、分岐の無い一本の流れで構成している。そして、三方弁６５によって冷蔵用冷却器６３側と冷凍用冷却器６４との二本の流れに分岐され、その後合流して圧縮機６１の吸入側に接続されている。
【００２５】
　まず、三方弁６５から圧縮機６１までの構成について説明する。
三方弁６５は、一つの入口と、二つの出口とを有している。三方弁６５の二つの出口のうち一方の出口には、冷蔵側キャピラリチューブ６６と冷蔵用冷却器６３とが順に接続され、その後、冷蔵側サクションパイプ６７を介して圧縮機６１の吸入側に接続されている。三方弁６５の二つの出口のうち他方の出口には、冷凍側キャピラリチューブ６８と冷凍用冷却器６４とが順に接続され、その後、冷凍側サクションパイプ６９および逆止弁７０を介して圧縮機６１に接続されている。
【００２６】
　
三方弁６５は、制御装置５０に接続されている。三方弁６５は、制御装置５０からの制御指令を受けて駆動し、二つの出口のうち入口と連通する一の出口を択一的に切替える。これにより、圧縮機６１から圧送された冷媒は、冷蔵用冷却器６３側又は冷凍用冷却器６４側のどちらか一方へ供給される。三方弁６５から冷蔵用冷却器６３側又は冷凍用冷却器６４側へ供給された冷媒は、キャピラリチューブ６６、６８によって減圧され、その後、冷却器６３、６４で気化することにより冷却器６３、６４の温度を低下させる。冷却器６３、６４で低温となった冷媒は、サクションパイプ６７、６９を通る間に外気等と熱交換され、ある程度昇温された状態で圧縮機６１に吸入される。
【００２７】
　次に、圧縮機６１から三方弁６５までの構成について説明する。
圧縮機６１の高圧吐出側から三方弁６５までには、冷媒の流れ順に、蒸発パイプ７１、凝縮器６２、後側放熱パイプ７３、右側放熱パイプ７４、天井側放熱パイプ７５、左側放熱パイプ７６、第一防露パイプ７７、第二防露パイプ７８、およびドライヤ７９が接続されている。ドライヤ７９の下流側は三方弁６５に接続されている。
【００２８】
　
凝縮器６２は、例えば多数の放熱用フィンを有するフィンチューブで構成され、断熱箱体１１の背面側に設けられている。
【００２９】
　第一防露パイプ７７および第二防露パイプ７８は、それぞれ異なる材料であって別の部材で構成されている。この場合、第一防露パイプ７７は、例えば比較的安価な鉄製の管で構成されている。一方、第二防露パイプ７８は、第一防露パイプ７７よりは高価ではあるが耐食性や熱伝導性に優れる銅製の管で構成されている。ここで、図４から図７も参照して、第一防露パイプ７７および第二防露パイプ７８の配置について説明する。
【００３０】
　
第一防露パイプ７７は、機械室４２内において、上流側の端部が左側放熱パイプ７６の下流側の端部にろう付けなどによって接続されている。その後、第一防露パイプ７７は、図４および図５に示すように、左側壁１２の下後端部から左側壁１２の下端内部に入り、左側壁１２の下端部内を該左側壁１２の下端縁部に沿って前方へ延びる。その後、第一防露パイプ７７は、左側壁１２の前端部つまり断熱箱体１１の開口１１１付近で上方へ向って折れ曲がる。そして、第一防露パイプ７７は、左側壁１２の前端内部を該左側壁１２の前端縁部に沿って上方へ向って直線的に延びる。
【００３１】
　そして、第一防露パイプ７７は、天井壁１４の前端内部を該天井壁１４の前端縁部に沿って右側壁１３まで延びる。この場合も、第一防露パイプ７７は、天井壁１４の前縁部よりもやや後方に位置している。その後、第一防露パイプ７７は、下方へ向って折れ曲がり、垂直となって右側壁１３の前端部内に入る。そして、第一防露パイプ７７は、右側壁１３の前端部内を該右側壁１３の前端縁部に沿って下方へ向って直線的に延びる。このときも、第一防露パイプ７７は、左側壁１２の場合と同様に、右側壁１３の前縁部よりもやや後方に位置し、外箱１７の内側に接している。
【００３２】
　そして、第一防露パイプ７７は、底壁１５付近に達すると、後方へ向って折れ曲がって水平となり、右側壁１３の下端部内を該右側壁１３の下端縁部に沿って後方へ延びる。そして、第一防露パイプ７７は、右側壁１３の下後端部から該右側壁１３の外部へ出て、機械室４２内へ入る。
機械室４２内に入った第一防露パイプ７７の下流側の端部は、機械室４２内において第二防露パイプ７８の上流側の端部に接続される。
【００３３】
　第二防露パイプ７８は、右側壁１３の下後端部であって第一防露パイプ７７よりも下方の位置から、右側壁１３の下端内部に入る。そして、第二防露パイプ７８は、右側壁１３の下端部内を、該右側壁１３の下端縁部に沿って第一防露パイプ７７に並行して前方へ延びる。その後、第二防露パイプ７８は、右側壁１３の前端部つまり断熱箱体１１の開口１１１付近であって第一防露パイプ７７の前側で上方へ向って折れ曲がる。その後、第二防露パイプ７８は、右側壁１３の前端内部であって第一防露パイプ７７の前側を、該右側壁１３の前端縁部に沿って第一防露パイプ７７に並行して上方へ延びる。このとき、第二防露パイプ７８は、図６に示すように、右側壁１３の前端内部の前縁部に位置し、外箱１７の内側に接している。なお、図６は左側壁１２の横断面を示すものであるが、右側壁１３の横断面として見る場合は、左右対称の構成となる。
【００３４】
　第二防露パイプ７８は、上段横枠部材２０の高さ位置に達すると、左方へ向って折れ曲がり、水平となって上段横枠部材２０の内部に入る。そして、第二防露パイプ７８は、上段横枠部材２０の内部を左方へ延び、その後、左側壁１２の前端部内に入り下方へ向って折れ曲がる。そして、第二防露パイプ７８は、左側壁１２の前端部内であって第一防露パイプ７７の前側を、該左側壁１２の前端縁部に沿って下方へ延びる。このときも、第二防露パイプ７８は、図６に示すように、左側壁１２の前端内部の前縁部に位置し、外箱１７の内側に接している。
【００３５】
　そして、第二防露パイプ７８は、中段横枠部材２１の高さ位置に達すると、右方へ向って折れ曲がり、中段横枠部材２１の内部へ入る。その後、第二防露パイプ７８は、中段横枠部材２１の内部を右方へ向って延び、右側壁１３の手前で折り返し、途中で縦枠部材２３の内部を引き回された後、再び左側壁１２の前端部内に入る。その後、第二防露パイプ７８は、下方へ向って折れ曲がり、該左側壁１２の前端部内を下方へ延びる。そして、第二防露パイプ７８は、下段横枠部材２２の高さ位置に達すると、右方へ向って折れ曲がり、下段横枠部材２２の内部へ入る。その後、第二防露パイプ７８は、下段横枠部材２２の
内部を右方へ向って延び、右側壁１３の手前で折り返した後、下段横枠部材２２の内部を左方へ向って延び、再び左側壁１２の前端部内に入る。
【００３６】
　
その後、第二防露パイプ７８は、下方へ向って折れ曲がり、該左側壁１２の前端縁部に沿って下方へ延びる。そして、第二防露パイプ７８は、底壁１５付近に達すると、右方へ向って折れ曲がり、底壁１５の前端部内に入る。その後、第二防露パイプ７８は、底壁１５の前端部内を右方へ向って延び、右側壁１３の手前で折り返した後、底壁１５の前端部内を左方へ向って延び、再び左側壁１２の前端部内に入る。そして、第二防露パイプ７８は、左側壁１２の下端部内であって第一防露パイプ７７の下側を、該左側壁１２の下端縁部に沿って第一防露パイプ７７に並行して後方へ延びる。その後、第二防露パイプ７８は、左側壁１２の下後端部から該左側壁１２の外部へ出て、機械室４２内へ入る。機械室４２内に入った第二防露パイプ７８は、下流側の端部が、機械室４２内においてドライヤ７９の上流側に接続される。
【００３７】
　
これによれば、各貯蔵室３０、３１、３２、３３、３４の出入口３０１、３１１、３２１、３３１、３４１の周囲には、少なくとも第一防露パイプ７７又は第二防露パイプ７８のいずれかが設けられている。このため、各出入口３０１、３１１、３２１、３３１、３４１の周囲は、第一防露パイプ７７および第二防露パイプ７８によって露点温度以上に加温される。これにより、各貯蔵室３０、３１、３２、３３、３４の内部と外部との温度差によって、各出入口３０１、３１１、３２１、３３１、３４１の周囲に露付が生じることを抑制することができる。
【００３８】
　第一防露パイプ７７は、第二防露パイプ７８よりも冷媒の流れに対して上流側に設けられているため、第二防露パイプ７８に比べて高温になる。この第一防露パイプ７７は、枠部材２０、２１、２２、２３を通ることなく、断熱箱体１１の左側壁１２、天井壁１４、および右側壁１３の前端内部を通って、開口１１１全体の周囲を囲むようにして設けられている。これに対し、第二防露パイプ７８は、第一防露パイプ７７よりも冷媒の流れに対して下流側に設けられているため、第一防露パイプ７７に比べて低温になる。この第二防露パイプ７８は、左側壁１２と右側壁１３と底壁１５との前端内部、および枠部材２０、２１、２２、２３の内部を通っている。
【００３９】
　これにより、第二防露パイプ７８は、冷凍温度帯の各貯蔵室の出入口、すなわち製氷室３２の出入口３２１、上段冷凍室３３の出入口３３１、および下段冷凍室３４の出入口３４１のそれぞれの周囲を囲んでいる。さらに、第二防露パイプ７８は、冷蔵温度帯の貯蔵室のうち野菜室３１の出入口３１１の周囲も囲んでいる。そして、第二防露パイプ７８は、左右側壁１２、１３の前端内部を通る部分のうち、少なくとも冷凍温度帯の各貯蔵室３２、３３、４５の側方を通る部分が、第一防露パイプ７７の前側に位置し該第一防露パイプ７７と並行するように設けられている。本実施形態の場合、第二防露パイプ７８は、左右側壁１２、１３の前端内部を通り上下方向へ延びる部分の全てが、第一防露パイプ７７の前側に位置し該第一防露パイプ７７と並行するように設けられている。
【００４０】
　
これによれば、外部からの熱流入の影響を受けやすい冷凍温度帯の貯蔵室３２、３３、３４の各出入口３２１、３３１、３４１の周囲は、第一防露パイプ７７よりも低温の第二防露パイプ７８によって囲まれている。このため、第二防露パイプ７８から冷凍温度帯の貯蔵室３２、３３、３４内に流入する熱を低減させることができる。これにより、防露パイプからの熱流入による冷凍温度帯の各貯蔵室３２、３３、３４の温度上昇を抑制して冷却に要する消費電力を低減させることができる。その結果、冷蔵庫１０は、高い省エネ効果を得ることができる。
【００４１】
　また、冷凍温度帯の貯蔵室３２、３３、３４の出入口３２１、３３１、３４１の周囲において、中段横枠部材２１および下段横枠部材２２の内部には、第二防露パイプ７８が上下方向に二重となるように設けられている。そして、縦枠部材２３の内部には、第二防露パイプ７８が左右方向に二重となるように設けられている。さらに、冷凍温度帯の貯蔵室３２、３３、３４の出入口３２１、３３１、３４１の周囲において、左右側壁１２、１３の前端部内には、第一防露パイプ７７および第二防露パイプ７８が前後方向に重なるように設けられている。
【００４２】
　これによれば、比較的低温の第二防露パイプ７８であっても、各出入口３２１、３３１、３４１の周囲を十分に温めることができるため、より効果的に露付を抑制することができる。そして、各出入口３２１、３３１、３４１の周囲は、高温の一本すなわち一重の防露パイプで構成した場合と異なり、その一本の防露パイプの周囲のみが局所的に高温に加熱されることはない。そのため、各出入口３２１、３３１、３４１の周囲が比較低温度で均一に温められることから、貯蔵室３２、３３、３４への熱の流入を低減しつつ、さらに効果的に露付を抑制することができる。
【００４３】
　また、第一防露パイプ７７は、左側壁１２側から右側壁１３側へ冷媒が流れるように配置されている。つまり、第一防露パイプ７７は、上流側である左側壁１２側が、下流側である右側壁１３側に比べて高温となるように配置されている。一方、第二防露パイプ７８は、右側壁１３側から左側壁１２側へ冷媒が流れるように配置されている。つまり、第二防露パイプ７８は、上流側である右側壁１３側が、下流側である左側壁１２側に比べて高温となるように配置されている。このように、第一防露パイプ７７と第二防露パイプ７８とを流れる冷媒は、左右側壁１２、１３において逆向きとなる。これによれば、左右側壁１２、１３の前端部の温度を偏らせることなく平均的なものとすることができる。そのため、各出入口３２１、３３１、３４１の周囲の露付をより均一的に抑制することができる。
【００４４】
　そして、枠部材２０、２１、２２、２３の内部を通らない第一防露パイプ７７は、比較的安価な鉄製の管で構成されている。一方、枠部材２０、２１、２２、２３の内部を通る第二防露パイプ７８は、耐食性や熱伝導性に優れた銅製の管で構成されている。つまり、水などがかかるおそれが比較的低い第一防露パイプ７７を、安価な材料で構成し、水などがかかるおそれが比較的高い第二防露パイプ７８を、高価ではあるが耐食性や熱伝導性などの機能性に優れた材料で構成している。これによれば、第一防露パイプ７７および第二防露パイプ７８全体として、耐食性や熱伝導性などの必要な機能を確保しつつ、コスト削減を図ることができる。なお、鉄製の第一防露パイプ７７は、メッキや塗装などによって耐食性などの機能を付加してもよい。」
「【００５２】
　以上説明した実施形態の構成によれば、
冷蔵庫は、第一防露パイプと第二防露パイプとを備えている。第一防露パイプは、枠部材の内部を通ることなく左右側壁および天井壁の前端内部を通って断熱箱体の開口全体を囲むようにして設けられている。第二防露パイプは、冷媒の流れに対して第一防露パイプの下流側に設けられている。第二防露パイプは、枠部材の内部および左右側壁の前端内部を通り、冷凍温度帯の貯蔵室の出入口の周囲を囲んでいる。そして、第二防露パイプは、左右側壁の前端内部を通る部分のうち冷凍温度帯の貯蔵室の側方を通る部分が第一防露パイプの前側にあって第一防露パイプと並行するように設けられている。
【００５３】
　
これによれば、高温の冷媒が流れる防露パイプによって開口周囲の露付を抑制するものにおいて、防露パイプから貯蔵室内に流入する熱を低減させることができる。これにより、貯蔵室内の温度上昇を抑制して冷却に要する消費電力を低減させることができ、その結果、省エネ効果を向上させることができる。
「
」
２　上記１から認められること
（１）上記１によれば、引用文献には、冷蔵庫１０が記載されている。
（２）請求項１、段落０００９〜００１６並びに図１及び２の記載によれば、冷蔵庫１０は、前面と、前記前面に左側壁１２、右側壁１３、天井壁１４及び底壁１５によって囲まれた開口１１１が形成され、前記開口１１１を上段横枠部材２０及び中段横枠部材２１で仕切って、左側壁１２の前端部、右側壁１３の前端部、上段横枠部材２０及び中段横枠部材２１に囲まれて形成された出入口３１１を有する野菜室３１と、前記野菜室よりも室内の設定温度が低く、かつ前記開口１１１を下段横枠部材２２で仕切って、前記左側壁１２の前端部、前記右側壁１３の前端部、底壁１５の前端部及び前記下段横枠部材２２に囲まれて形成された出入口３４１を有する下段冷凍室３４とを含む断熱箱体１１を備えることが認められる。
（３）請求項１、段落００１７〜００２８及び００５２並びに図３の記載によれば、冷蔵庫１０は、圧縮機６１、凝縮器６２、第一防露パイプ７７、第二防露パイプ７８、ドライヤ７９、三方弁６５、キャピラリチューブ６６及び冷蔵用冷却器６３の順、又は、前記圧縮機６１、前記凝縮器６２、前記第一防露パイプ７７、前記第二防露パイプ７８、前記ドライヤ７９、前記三方弁６５、キャピラリチューブ６８及び冷凍用冷却器６４の順に冷媒が流れるように構成された冷凍サイクル６０を備えることが認められる。
（４）請求項１、段落００３０〜００４３（特に、段落００３７及び００４０）並びに図４及び５の記載によれば、野菜室３１の出入口３１１及び下部冷凍室３４の出入口３４１の周囲には、第二防露パイプ７８が設けられ、下部冷凍室３４の出入口３４１の周囲は、第二防露パイプ７８によって囲まれていることが認められる。
（５）段落００３０及び００３６並びに図１、４及び５の記載によれば、第一防露パイプは、冷蔵庫１０の背面下端部に形成された機械室４２内に上流側の端部があり、その後、前記左側壁１２の下後端部から前記左側壁１２の下端内部に入り、前記左側壁１２の下端部内を前記左側壁１２の下端縁部に沿って前方へ延び、その後、前記左側壁１２の前端部つまり前記断熱箱体１１の前記開口１１１付近で上方へ向って折れ曲がり、そして、前記左側壁１２の前端内部を前記左側壁１２の前端縁部に沿って上方へ向って直線的に延びており、第二防露パイプ７８は、前記底壁１５の前端部内を左方へ向って延び、前記左側壁１２の前端部内に入って、後方に向かって折れ曲がり、そして、前記左側壁１２の下端部内であって前記第一防露パイプ７７の下側を、前記左側壁１２の下端縁部に沿って前記第一防露パイプ７７に並行して後方へ延び、その後、前記左側壁１２の下後端部から前記左側壁１２の外部へ出て、前記機械室４２内へ入り、前記機械室４２内に入った下流側の端部が、前記機械室４２内において前記ドライヤ７９の上流側に接続されていることが認められる。
３　引用発明
　上記１及び２を総合すると、引用文献には、次の事項からなる発明（以下「引用発明」という。）が記載されていると認めることができる。
「前面と、前記前面に左側壁１２、右側壁１３、天井壁１４及び底壁１５によって囲まれた開口１１１が形成され、前記開口１１１を上段横枠部材２０及び中段横枠部材２１で仕切って、左側壁１２の前端部、右側壁１３の前端部、上段横枠部材２０及び中段横枠部材２１に囲まれて形成された出入口３１１を有する野菜室３１と、前記野菜室よりも室内の設定温度が低く、かつ前記開口１１１を下段横枠部材２２で仕切って、前記左側壁１２の前端部、前記右側壁１３の前端部、底壁１５の前端部及び前記下段横枠部材２２に囲まれて形成された出入口３４１を有する下段冷凍室３４とを含む断熱箱体１１と、
　圧縮機６１、凝縮器６２、第一防露パイプ７７、第二防露パイプ７８、ドライヤ７９、三方弁６５、キャピラリチューブ６６及び冷蔵用冷却器６３の順、又は、前記圧縮機６１、前記凝縮器６２、前記第一防露パイプ７７、前記第二防露パイプ７８、前記ドライヤ７９、前記三方弁６５、キャピラリチューブ６８及び冷凍用冷却器６４の順に冷媒が流れるように構成された冷凍サイクル６０とを備え、
　前記野菜室３１の前記出入口３１１及び前記下部冷凍室３４の前記出入口３４１の周囲には、前記第二防露パイプ７８が設けられ、前記下部冷凍室３４の前記出入口３４１の周囲は、前記第二防露パイプ７８によって囲まれており、
　前記第一防露パイプ７７は、背面下端部に形成された機械室４２内に上流側の端部があり、その後、前記左側壁１２の下後端部から前記左側壁１２の下端内部に入り、前記左側壁１２の下端部内を前記左側壁１２の下端縁部に沿って前方へ延び、その後、前記左側壁１２の前端部つまり前記断熱箱体１１の前記開口１１１付近で上方へ向って折れ曲がり、そして、前記左側壁１２の前端内部を前記左側壁１２の前端縁部に沿って上方へ向って直線的に延びており、
　前記第二防露パイプ７８は、前記底壁１５の前端部内を左方へ向って延び、前記左側壁１２の前端部内に入って、後方へ向かって折れ曲がり、そして、前記左側壁１２の下端部内であって前記第一防露パイプ７７の下側を、前記左側壁１２の下端縁部に沿って前記第一防露パイプ７７に並行して後方へ延び、その後、前記左側壁１２の下後端部から前記左側壁１２の外部へ出て、前記機械室４２内へ入り、前記機械室４２内に入った下流側の端部が、前記機械室４２内において前記ドライヤ７９の上流側に接続されている、冷蔵庫１０。」
第５　対比
　本願発明（以下「前者」ともいう。）と引用発明（以下「後者」ともいう。）とを、その機能、構造又は技術的意義を考慮して対比する。
・後者の「前面」は、前者の「前面」に相当し、以下同様に、「野菜室３１」は「第１貯蔵室」に、「出入口３１１」は「第１開口」に、「下段冷凍室３４」は「第２貯蔵室」に、「出入口３４１」は「第２開口」に、「圧縮機６１」は「圧縮機」に、「凝縮器６２」は「凝縮装置」に、「第一防露パイプ７７」及び「第二防露パイプ７８」（但し、後述する上流側端部と下流側端部の間の部分）は「結露防止パイプ」に、「キャピラリチューブ６６」又は「キャピラリチューブ６８」は「減圧器」に、「冷蔵用冷却器６３」又は「冷凍用冷却器６４」は「冷却器」に、「冷凍サイクル６０」は「冷凍サイクル」に、「冷蔵庫１０」は「冷蔵庫」に、それぞれ相当する。
・後者の「断熱箱体１１」は、「前面」と、「出入口３１１を有する野菜室３１」と、「前記野菜室よりも室内の設定温度が低く、かつ」「出入口３４１を有する下段冷凍室３４」とを含むから、前者の「前面と、前記前面に設けられた第１開口を有する第１貯蔵室と、前記第１貯蔵室よりも室内の設定温度が低くかつ前記前面に設けられた第２開口を有する第２貯蔵室とを含む筐体」に相当する。
・後者の「第二防露パイプ７８」における、「左側壁１２の前端部内に入って、後方へ向かって折れ曲が」る部位から、「ドライヤ７９の上流側に接続され」る「下流側の端部」までの部分は、下部冷凍室３４の出入口３４１の露付きを抑制するパイプとして機能せず、接続用のパイプとして機能しているから、前者の「パイプ」に相当する。
　そうすると、後者の「圧縮機６１、凝縮器６２、第一防露パイプ７７、第二防露パイプ７８、ドライヤ７９、三方弁６５、キャピラリチューブ６６及び冷蔵用冷却器６３の順、又は、前記圧縮機６１、前記凝縮器６２、前記第一防露パイプ７７、前記第二防露パイプ７８、前記ドライヤ７９、前記三方弁６５、キャピラリチューブ６８及び冷凍用冷却器６４の順に冷媒が流れるように構成された冷凍サイクル６０」は、前者の「圧縮機、凝縮装置、結露防止パイプ、減圧器、パイプおよび冷却器を有する冷凍サイクル」に相当するものであって、前者の「前記冷凍サイクルは、前記圧縮機、前記凝縮装置、前記結露防止パイプ、前記減圧器および前記冷却器の順に冷媒が流れるように構成されており」に相当する。
　また、後者の「冷凍サイクル６０」が断熱箱体１１に収容されることは自明であり、このことは、前者の「冷凍サイクル」が「前記筐体に収容され」ることに相当する。
・後者の「野菜室３１の出入口３１１」及び「下部冷凍室３４の出入口３４１」は、断熱箱体１１の前面側に設けられるものであり、これらの周囲に、第二防露パイプ７８が設けられることにより、前面側の断熱箱体１１の縁において、野菜室３１の出入口３１１の周囲の少なくとも一部に第二防露パイプ７８が設けられることになる。
　そうすると、後者の「前記野菜室３１の前記出入口３１１及び前記下部冷凍室３４の前記出入口３４１の周囲には、前記第二防露パイプ７８が設けられ、前記下部冷凍室３４の前記出入口３４１の周囲は、前記第二防露パイプ７８によって囲まれており」との態様は、前者の「前記結露防止パイプは、前記第１貯蔵室の前記第１開口および前記第２貯蔵室の前記第２開口が設けられた前記前面側の前記筐体の縁において、前記第１開口の周囲の少なくとも一部に配置されており、かつ前記第２開口の周囲を囲むように配置されており」との態様に相当する。
・後者の「前記第一防露パイプ７７は、背面下端部に形成された機械室４２内に上流側の端部があり、その後、前記左側壁１２の下後端部から前記左側壁１２の下端内部に入り、前記左側壁１２の下端部内を前記左側壁１２の下端縁部に沿って前方へ延び、その後、前記左側壁１２の前端部つまり前記断熱箱体１１の前記開口１１１付近で上方へ向って折れ曲がり、そして、前記左側壁１２の前端内部を前記左側壁１２の前端縁部に沿って上方へ向って直線的に延びており」との態様（以下「態様Ａ」という。）ついて検討する。
　後者の「第一防露パイプ７７」において、左側壁１２の下端部内を左側壁１２の下端縁部に沿って前方へ延び、その後、左側壁１２の前端部つまり断熱箱体１１の開口１１１付近で上方へ向って折れ曲がる部位が、開口周囲の露付きを抑制する機能を奏する部分の始点となるものといえるから、当該第一防露パイプ７７の上方へ向かって折れ曲がる部位が、前者の「前記結露防止パイプの前記冷媒の流れの上流側の端部」に相当する。
　そして、後者における第一防露パイプ７７の上方へ向かって折れ曲がる部位は、左側壁１２の前端部かつ下端部に位置する。当該左側壁１２の前端部かつ下端部は、下部冷凍室３４の出入口３４１を形成する部位の一部であるから、後者の態様Ａは、前者の「前記筐体の前記縁に配置された前記結露防止パイプの前記冷媒の流れの上流側の端部は、前記第２開口の周囲の一部に配置されており」との態様に相当する。
・後者の「前記第二防露パイプ７８は、前記底壁１５の前端部内を左方へ向って延び、前記左側壁１２の前端部内に入って、後方へ向かって折れ曲がり、そして、前記左側壁１２の下端部内であって前記第一防露パイプ７７の下側を、前記左側壁１２の下端縁部に沿って前記第一防露パイプ７７に並行して後方へ延び、その後、前記左側壁１２の下後端部から前記左側壁１２の外部へ出て、前記機械室４２内へ入り、前記機械室４２内に入った下流側の端部が、前記機械室４２内において前記ドライヤ７９の上流側に接続されている」との態様（以下「態様Ｂ」という。）について検討する。
　後者の「第二防露パイプ７８」において、左側壁１２の前端部内に入って、後方へ向かって折れ曲がる部位から、ドライヤ７９の上流側に接続される下流側の端部までの部分（以下「接続部分」という。）は、下部冷凍室３４の出入口３４１の露付きを抑制するパイプとして機能せず、接続用のパイプとして機能しており、前者の「パイプ」に相当することは上述したとおりであるところ、上記第二防露パイプ７８の後方へ向かって折れ曲がる部位が、前者の「前記結露防止パイプの前記冷媒の流れの下流側の端部」に相当する。
　そして、後者における第二防露パイプ７８の後方へ向かって折れ曲がる部位は、左側壁１２の前端部かつ下端部に位置する。当該左側壁１２の前端部かつ下端部は、下部冷凍室３４の出入口３４１を形成する部位の一部であるから、後者の態様Ｂは、前者の「前記筐体の前記縁に配置された前記結露防止パイプの前記冷媒の流れの下流側の端部は、前記第２開口の周囲の一部に配置されており」との態様に相当する。
　また、後者の「底壁１５」、「左側壁１２の下端部」及び「右側壁１３」の下端部が、前者の「筐体」が有する「底部」に相当するものといえるから、後者の態様Ｂは、前者の「前記筐体の前記縁に配置された前記結露防止パイプの前記冷媒の流れの下流側の端部は、前記底部に配置されており」との態様に相当する。
　さらに、後者における第二防露パイプ７８の「接続部分」は、左側壁１２の下端部内であって第一防露パイプ７７の下側を、左側壁１２の下端縁部に沿って前記第一防露パイプ７７に並行して後方へ延びるから、後者の態様Ｂは、前者の「前記パイプは前記底部に沿って配置されている」との態様に相当する。
・後者における第一防露パイプ７７の上方へ向かって折れ曲がる部位及び第二防露パイプ７８の後方へ向かって折れ曲がる部位は、いずれも左側壁１２の前端部かつ下端部であって、下部冷凍室３４の出入口３４１の周囲に位置するから、後者の態様Ａ及び態様Ｂは、前者の「前記上流側の端部および前記下流側の端部は、前記筐体の同じ側面側に配置されており」との態様に相当する。
　したがって、本願発明と引用発明との間には、次の一致点、相違点があるといえる。
［一致点］
「前面と、前記前面に設けられた第１開口を有する第１貯蔵室と、前記第１貯蔵室よりも室内の設定温度が低くかつ前記前面に設けられた第２開口を有する第２貯蔵室とを含む筐体と、
　前記筐体に収容され、かつ圧縮機、凝縮装置、結露防止パイプ、減圧器、パイプおよび冷却器を有する冷凍サイクルとを備え、
　前記冷凍サイクルは、前記圧縮機、前記凝縮装置、前記結露防止パイプ、前記減圧器および前記冷却器の順に冷媒が流れるように構成されており、
　前記結露防止パイプは、前記第１貯蔵室の前記第１開口および前記第２貯蔵室の前記第２開口が設けられた前記前面側の前記筐体の縁において、前記第１開口の周囲の少なくとも一部に配置されており、かつ前記第２開口の周囲を囲むように配置されており、
　前記筐体の前記縁に配置された前記結露防止パイプの前記冷媒の流れの下流側の端部は、前記第２開口の周囲の一部に配置されており、
　前記筐体の前記縁に配置された前記結露防止パイプの前記冷媒の流れの上流側の端部は、前記第２開口の周囲の一部に配置されており、
　前記筐体は底部を有し、
　前記筐体の前記縁に配置された前記結露防止パイプの前記冷媒の流れの下流側の端部は、前記底部に配置されており、
　前記上流側の端部および前記下流側の端部は、前記筐体の同じ側面側に配置されており、
　前記パイプは前記底部に沿って配置されている、冷蔵庫。」
［相違点１］
　本願発明では、「前記パイプは、前記減圧器と前記下流側の端部とを接続し」ているのに対して、引用発明では、「第二防露パイプ７８」の「下流側の端部」が、「前記ドライヤ７９の上流側に接続されている」点。
［相違点２］
　本願発明では、「前記減圧器は前記底部に配置されて」いるのに対して、引用発明では、キャピラリチューブ６６及びキャピラリチューブ６８の配置は不明である点。
第６　判断
　上記相違点について検討する。
［相違点１について］
　引用発明の態様Ｂは、第二防露パイプ７８の接続部分（上記第５で述べたとおり、本願発明の「パイプ」に相当。）が、ドライヤ７９と三方弁６５を介してはいるものの、キャピラリチューブ６６又はキャピラリチューブ６８と、上記第二防露パイプ７８の後方へ向かって折れ曲がる部位とを接続しているから、本願発明の「前記パイプは、前記減圧器と前記下流側の端部とを接続し」との態様に相当する構成を有しているといえる。
　そうすると、上記相違点１は実質的な相違点ではない。
　仮に実質的な相違点であるとしても、ドライヤ７９や三方弁６５は冷凍サイクルにおいて必須とされるものではないから、これらを省いて上記相違点１に係る本願発明の構成とすることは、当業者が容易になし得たことである。
［相違点２について］
　冷蔵庫において、背面下部の機械室に減圧器を設置することは、本願の出願前に周知の技術（例えば、特開平１１−２１１３２０号公報（特に、段落００２２〜００２９並びに図１及び２）及び特開平１０−２５３２２５号公報（特に、段落００３３〜００３５及び図１）を参照。）である。
　そして、引用文献の図１を参照すると、引用発明の冷凍用冷却器６４は、機械室４２と近接した位置に配置されており、上記冷凍用冷却器６４に接続されるキャピラリチューブ６８は、上記冷凍用冷却器６４近傍の機械室４２に配置するのが合理的である。
　したがって、引用発明において、周知技術を採用し、キャピラリチューブ６８を背面下端部に形成された機械室４２に配置し、上記相違点２に係る本願発明の構成とすることは、当業者が容易に想到し得たことである。
　そして、本願発明の全体構成により奏される作用効果は、引用発明及び周知技術から当業者が予測し得る範囲内のものである。
　したがって、本願発明は、引用発明及び周知技術に基いて、当業者が容易に発明をすることができたものである。
第７　むすび
　以上のとおり、本願発明は、引用発明及び周知技術に基いて、当業者が容易に発明をすることができたものであるから、特許法２９条２項の規定により特許を受けることができない。
　したがって、その余の請求項に係る発明について判断するまでもなく、本願は、拒絶されるべきものである。
　よって、結論のとおり審決する。